(57)【要約】【課題】各種移動体通信機器に搭載されるアンテナ装置に関し、定められた小さい配置容積であってもその容積内が有効に活用できる構成としてなるものを提供することを目的とする。【解決手段】アンテナ素子３１の第二板状部４２の装着面としてなる基体部２１の上面２２に窪み部２５を設け、上記第二板状部４２も窪み部２５に応じた位置を周囲部分４３より一段下がった段部４５に構成したものとし、上記窪み部２５内に設けたカシメ用突起２２Ａを、段部４５に設けた孔部４２Ａに挿通させてその上端をカシメ固定し、かつそのカシメ固定後のカシメ用突起２２Ａの上端位置を周囲部分４３よりも低くなるカシメ固定状態のものとして、小さい配置容積であっても素子３１の周囲部分４３が最外方に位置するように構成した。【選択図】図１
2008098815.tif 000002
【特許請求の範囲】
【請求項１】
金属板製の平板状のアンテナ素子と、上記アンテナ素子が装着される装着面を有する合成樹脂製の基体部からなり、上記基体部の装着面上に配置された上記アンテナ素子が、上記基体部に形成されたカシメ用突起がカシメられることによって上記基体部に固定されて構成されたアンテナ装置であって、上記基体部は、その装着面に窪み部を有し、その窪み部内に上記カシメ用突起が設けられており、その窪み部の配設位置に応じた上記アンテナ素子の被固定部が、周囲部分よりも段差を持つ一段低い高さ位置に設けられ、その被固定部が上記窪み部内に配されて上記カシメ用突起の上端がカシメられることにより上記基体部に上記アンテナ素子が固定されており、かつそのカシメ後の上記カシメ用突起の上端高さ位置が、上記アンテナ素子の周囲部分の上面位置と同等以下の高さ位置になるようにカシメ固定されているアンテナ装置。
【請求項２】
アンテナ素子は、被固定部に隣接する周囲部分どうしが、上記各周囲部分と同じ高さ位置の桟部で繋がれたものとされ、基体部は、その装着面の窪み部が上記被固定部に応じた位置のみとされている請求項１記載のアンテナ装置。
【発明の詳細な説明】
【技術分野】
【０００１】
本発明は、各種移動体通信機器に搭載されるアンテナ装置に関するものである。
【背景技術】
【０００２】
近年、携帯電話に代表される移動体通信機器が広く普及してきており、小型で軽量なものが好まれて使用されるようになっている。
【０００３】
そして、それらの機器に搭載されるアンテナ装置についても、機器の不用意な落下時などを含めて損傷しないようにするために、機器内部に内蔵されて搭載される所謂内蔵式のアンテナ装置を搭載したものが主流になってきている。
【０００４】
ここで従来の内蔵式のアンテナ装置について、図面を用いて説明する。
【０００５】
図５は、従来の内蔵式のアンテナ装置の外観斜視図、図６は同分解斜視図、図７は同側面図である。
【０００６】
同図において、１は略直方体形状に形成された合成樹脂製の基体部、５は基体部１に固定された金属板製のアンテナ素子である。
【０００７】
基体部１は、その上面１Ａと後方側面１Ｂが、上記アンテナ素子５の装着面としてなり、図６に示したように、それぞれの面１Ａ，１Ｂには、円柱状に形成されたカシメ用突起２が複数設けられている。
【０００８】
一方、アンテナ素子５は、対応する周波数に対応する形状に形成されていると共に、上記カシメ用突起２に応じた位置に貫通する孔部７が設けられた構成となっており、各孔部７に各カシメ用突起２を挿入させるようにしてアンテナ素子５は基体部１に組み合わされ、その後、各カシメ用突起２の上端をカシメることにより、アンテナ素子５は基体部１に固定されている。
【０００９】
上記のように構成された従来のアンテナ装置は、機器内部に収容状態で搭載され、その搭載状態で、後方側面１Ｂに配されたアンテナ素子５の側面部５Ａ左側の平坦部分に機器の無線回路に繋がる弾性ばね部（図示せず）を弾接させて使用される。
【００１０】
その動作としては、電波の送信時には、機器の無線回路からの信号が弾性ばね部を介してアンテナ素子５に伝わって電波として放射され、受信時には、上記とは逆に電波をアンテナ素子５で受信し、その信号が弾性ばね部を介して無線回路に伝達されて受信されるものであった。
【００１１】
なお、この出願の発明に関連する先行技術文献情報としては、例えば、特許文献１が知られている。
【特許文献１】特開２００５−５９５４号公報
【発明の開示】
【発明が解決しようとする課題】
【００１２】
近年、アンテナ装置を搭載している移動体通信機器の代表としてなる携帯電話は薄型構成のものが好まれ、その機器に内蔵される従来のアンテナ装置に対しても薄型化を強く要望され、その配置容積は機器側で小さいものに設定されることが多くなってきた。
【００１３】
そして、その小さく設定された設置容積に対応したものとする際、上述した従来のアンテナ装置の構成のままで単に基体部１などを小さく構成して対応することも可能ではあった。しかしながら、アンテナ素子５が所定のカシメ固定状態で基体部１に固定されていないと所望のアンテナ特性が維持されないことから、その固定状態を維持するために、カシメ用突起２の所定のカシメ量は必要であり、従来構成のものでは、アンテナ装置の配置容積が小さく設定されると、そのカシメ量の寸法分が大きな比率を占めてしまい、アンテナ装置として機能する部位がさらに小さい容積内で構成されたものとなるため、結果として良好なアンテナ特性が得られ難くなってしまうという課題があった。
【００１４】
本発明は、このような従来の課題を解決するものであり、定められた小さい配置容積であってもその容積内が有効に活用できる構成としてなるアンテナ装置を提供することを目的とする。
【課題を解決するための手段】
【００１５】
上記目的を達成するために本発明は、以下の構成を有するものである。
【００１６】
本発明の請求項１に記載の発明は、金属板製の平板状のアンテナ素子と、上記アンテナ素子が装着される装着面を有する合成樹脂の基体部からなり、上記基体部の装着面上に配置された上記アンテナ素子が、上記基体部に形成されたカシメ用突起がカシメられることによって上記基体部に固定されて構成されたアンテナ装置であって、上記基体部は、その装着面に窪み部を有し、その窪み部内に上記カシメ用突起が設けられており、その窪み部の配設位置に応じた上記アンテナ素子の被固定部が、周囲部分よりも段差を持つ一段低い高さ位置に設けられ、その被固定部が上記窪み部内に配されて上記カシメ用突起の上端がカシメられることにより上記基体部に上記アンテナ素子が固定されており、かつそのカシメ後の上記カシメ用突起の上端高さ位置が、上記アンテナ素子の周囲部分の上面位置と同等以下の高さ位置になるようにカシメ固定されているアンテナ装置としたものであり、定められた小さい配置容積に適合する大きさで、基体部に設けたカシメ用突起でアンテナ素子をカシメ固定したにも拘らず、そのカシメ固定された部分の周囲位置となるアンテナ素子の周囲部分が最大限の外方位置に配された構成のものとして実現することができてアンテナ特性的に有利なものにできるという作用を有する。
【００１７】
請求項２に記載の発明は、請求項１記載の発明において、アンテナ素子は、被固定部に隣接する周囲部分どうしが、上記各周囲部分と同じ高さ位置の桟部で繋がれたものとされ、基体部は、その装着面の窪み部が上記被固定部に応じた位置のみとされているものであり、アンテナ素子の周囲部分に加えて桟部も最大限の外方位置に配された構成のものとして実現することができるという作用を有する。
【発明の効果】
【００１８】
以上のように本発明によれば、定められた小さい配置容積に適合する大きさで、基体部に設けたカシメ用突起でアンテナ素子をカシメ固定したものにも拘らず、そのカシメ固定された部分の周囲位置となるアンテナ素子の周囲部分が最大限の外方位置に配された構成としてなるアンテナ装置を得ることができるという有利な効果が得られる。
【発明を実施するための最良の形態】
【００１９】
以下、本発明の実施の形態について、図１〜図４を用いて説明する。
【００２０】
（実施の形態）
図１は本発明の一実施の形態によるアンテナ装置の外観斜視図、図２は同分解斜視図である。
【００２１】
同図において、２１は略直方体形状に形成された合成樹脂製の基体部であり、この基体部２１に、対応する周波数帯域に応じた所定形状に形成された金属板製のアンテナ素子３１がカシメ固定されてアンテナ装置として構成されている。なお、当該アンテナ装置における配置容積は、機器側から設定されており、その条件としては、上下寸法側の規制が厳しくされたものとなっている。
【００２２】
そして、上記基体部２１におけるアンテナ素子３１の装着面は、上面２２および後方側面２３となっており、その寸法規制の緩い後方側面２３側のアンテナ素子３１の第一板状部４１は従来同様のカシメ固定状態となっている。つまり、平坦面で構成された後方側面２３に対し、全面平坦な略長方形状の第一板状部４１が重ねられ、その後方側面２３に突出形成されたカシメ用突起２３Ａが、第一板状部４１に設けられた孔部４１Ａに挿通されて、その上端がカシメられることによって第一板状部４１は後方側面２３に固定されている。
【００２３】
一方、寸法規制が厳しくなされた面側にあたる基体部２１の上面２２には、側面視で上方開口のコの字状に一段下がった形状の窪み部２５が数箇所に形成されており、その各々の窪み部２５の底部から円柱状のカシメ用突起２２Ａが突出させて設けられている。なお、上記窪み部２５は、所定幅で上面２２の短手方向に平行に形成されている。
【００２４】
そして、その上面２２に対応するアンテナ素子３１の部位は、それぞれ第一板状部４１に対して直角に曲げ形成されて位置する第二板状部４２で構成されている。この第二板状部４２は、二箇所に設けられており、それぞれ上記第一板状部４１の長手方向側の対応する端部に繋げて形成されている。
【００２５】
そして、個々の第二板状部４２の形状としては、上面視略長方形で、上記窪み部２５に応じた位置が、その短手方向側の幅全体に亘って、平坦な周囲部分４３よりも側面視で上方開口コの字状に一段下がった段部４５として形成され、上記段部４５のそれぞれに孔部４２Ａが設けられたものとなっている。この段部４５および孔部４２Ａが、第二板状部４２の被固定部としてなる部位である。
【００２６】
そして、個々の第二板状部４２は、対応する窪み部２５内に上記段部４５が位置するように基体部２１の上面２２上に載せられて組み合わせられ、その状態で、各孔部４２Ａ内に挿通されたそれぞれのカシメ用突起２２Ａの上端がカシメられて各第二板状部４２は基体部２１に固定されている。なお、上記カシメ前においては、第二板状部４２の周囲部分４３が上面２２上に接し、段部４５下面が窪み部２５底面に接するように、段部４５や窪み部２５の深さ・形状などは設定されており、好ましくは段部４５下面および窪み部２５底面はカシメ用突起２２Ａと直交関係となる所定の広さを持った平坦面で形成しておくとカシメ作業が効率よく行えるものにできる。
【００２７】
そして、カシメ固定された各カシメ用突起２２Ａは、その上端位置が、第二板状部４２の周囲部分４３の上面位置と同等以下の高さ位置になるカシメ高さで管理されてカシメられている。
【００２８】
これによって、当該アンテナ装置は、各カシメ用突起２２Ａで個々の第二板状部４２がカシメ固定されているにも拘らず、定められた小さい配置容積に適合する大きさのもので、特に厳しく寸法規制されている上下間の寸法全体の最大高さ位置つまり最大限の外方位置で上記アンテナ素子３１の周囲部分４３が基体部２１の上面２２上に配置された構成のものとして実現されたものにできる。なお、カシメ誤差などを考慮して、そのカシメ後のカシメ用突起２２Ａの上端高さ位置を窪み部２５内で納まるものとすると好ましい。
【００２９】
以上のように、当該実施の形態によるものであれば、搭載される筐体の内寸などで設定される機器側からのアンテナ配置容積の最大限の外方位置にアンテナ素子３１を位置させた構成のものを得ることができる。なお、一般にアンテナ装置はアンテナ素子が外方に配されるほど感度などのアンテナ特性的に良好なものとなり、当該アンテナ装置も、定められた配置容積の中で最大限の外方位置にアンテナ素子３１を位置させることができるため、アンテナ特性的にも有利なものとなる。なお、上記には基体部２１の上面２２側における固定部分に本発明による思想を適用した事例を説明したが、それ以外の装着面にも当該思想を適用してもよい。
【００３０】
そして、当該構成とされたアンテナ装置は、機器内部に収容状態で搭載され、その搭載状態では、第一板状部４１の左側の平坦部分に機器の無線回路に繋がる弾性ばね部（図示せず）を弾接させて使用される。なお、その動作については従来同様となるため、説明は省略する。
【００３１】
このように、当該実施の形態によるアンテナ装置であれば、アンテナ素子３１を基体部２１にカシメ固定している構成にも拘らず、定められた小さい配置容積内で、その被固定部分のアンテナ素子３１の周囲部分４３が基体部２１の最大限の外方位置に配された各種アンテナ特性的にも有利な構成のものを得ることができる。また、その第二板状部４２におけるカシメ固定状態としても、簡素な構成で必要なカシメ量を維持しつつ適切な状態でカシメ固定されたものにでき、小型で高性能なアンテナ装置を安価に提供することが可能となる。
【００３２】
なお、上記に詳述した構成以外であっても、本発明の思想を反映させたものとして構成することもできる。
【００３３】
その変形事例のアンテナ装置における一例を、図３の外観斜視図、図４の分解斜視図を用いて以下に説明する。なお、その配置容積としては、上記同様に、上下間寸法が厳しく規制されている前提となっている。そして、上述したアンテナ装置と同一構成部分には同一符号を付して詳細説明は省略する。
【００３４】
同図に示したように、当該アンテナ装置におけるアンテナ素子５１は、第一板状部４１および第二板状部６２を有し、特にその第二板状部６２において、周囲部分６３どうしが周囲部分６３と同一高さ位置の桟部６４で繋がれた形態になっている。さらに、その桟部６４に被固定部としてなる枠状部６５が個々に設けられ、枠状部６５は桟部６４に繋がる根元部分で下方に曲げ下ろされ、さらにその先端側が一段低い位置で水平に配されるように再度曲げられて構成されたものとなっている。
【００３５】
一方、基体部７１は、上記第二板状部６２の装着面としてなる上面７２において、枠状部６５に相当する位置のみが窪み部７５として形成され、第二板状部６２の周囲部分６３の配置領域に相当する部分と桟部６４の配置領域に相当する部分は同一面で構成されたものとなっている。また、その個々の窪み部７５内にはカシメ用突起７２Ａが設けられている。
【００３６】
そして、当該アンテナ装置においては、枠状部６５が窪み部７５内に位置するように第二板状部６２が基体部７１の上面７２上に組み合わせられ、その状態で、枠状部６５の孔部６５Ａ内に挿通された窪み部７５内のカシメ用突起７２Ａ上端が第二板状部６２の周囲部分６３の上面高さ位置と同等以下の高さ位置となるようにしてカシメ固定されている。なお、その他の部分は、上述したものと同じであるため、説明は省略する。
【００３７】
当該構成とされたアンテナ装置であれば、定められた小さい配置容積内でアンテナ素子５１における第二板状部６２の周囲部分６３に加えて、被固定部に隣接することとなる周囲部分６３どうしを繋ぐ桟部６４も最大限の外方位置に配されたものとして構成することができる。
【００３８】
以上には本発明による思想を適用した二つの事例を説明したが、本発明は、上述した構成のもののみに限られるものではない。
【産業上の利用可能性】
【００３９】
本発明によるアンテナ装置は、定められた小さい配置容積に適合する大きさで、基体部に設けたカシメ用突起でアンテナ素子をカシメ固定したものにも拘らず、そのカシメ固定された部分の周囲位置となるアンテナ素子の周囲部分が最大限の外方位置に配された構成のものとして実現することができるという効果を有し、アンテナ装置およびそれを搭載する各種移動体通信機器等に有用である。
【図面の簡単な説明】
【００４０】
【図１】本発明の一実施の形態によるアンテナ装置の外観斜視図
【図２】同分解斜視図
【図３】他の変形事例の外観斜視図
【図４】同分解斜視図
【図５】従来の内蔵式のアンテナ装置の外観斜視図
【図６】同分解斜視図
【図７】同側面図
【符号の説明】
【００４１】
２１、７１  基体部
２２、７２  上面
２２Ａ、２３Ａ、７２Ａ  カシメ用突起
２３  後方側面
２５、７５  窪み部
３１、５１  アンテナ素子
４１  第一板状部
４１Ａ  第一板状部の孔部
４２、６２  第二板状部
４２Ａ  第二板状部の孔部
４３、６３  周囲部分
４５  段部
６４  桟部
６５  枠状部
６５Ａ  枠状部の孔部
【図１】
2008098815.tif 000003
【図２】
2008098815.tif 000004
【図３】
2008098815.tif 000005
【図４】
2008098815.tif 000006
【図５】
2008098815.tif 000007
【図６】
2008098815.tif 000008
【図７】
2008098815.tif 000009